(57)【要約】      （修正有）【課題】新規でかつ改良型の破砕ハンマーおよび破砕ハンマー用の入口部材を提供する。【解決手段】破砕ハンマーは、入口１６において圧力媒体導管１４の周囲に少なくとも１つの入口部材２０が設けられている。入口部材２０は細長い管状保護部材より成る。入口部材２０は、圧力媒体導管１４との関係において移動しないように固定されている。入口部材２０は、保護ケーシング６の入口１６との関係において長手方向に可動となっている。【選択図】図２
0003187924.tif 000002
【実用新案登録請求の範囲】
【請求項１】
破砕ハンマー（３）に取付け可能な工具（７）に衝撃パルスを送出するための打撃装置（５）と、
内部に打撃装置（５）が配置され、その第１の端部を通って工具（７）を配置することのできる保護ケーシング（６）とを含み、
該保護ケーシング（６）には、圧力媒体を打撃装置（５）に供給するため中に少なくとも１本の圧力媒体導管（１４）が配置されている少なくとも１つの入口（１６）が設けられている材料を破壊するため破砕ハンマーにおいて、
入口（１６）には、圧力媒体導管（１４）の周囲に少なくとも１つの入口部材（２０）が設けられており、
入口部材（２０）は細長い管状保護部材より成り、
入口部材（２０）は、圧力媒体導管（１４）に対して移動しないように固定されており、
入口部材（２０）が、保護ケーシング（６）の入口（１６）に対して長手方向に可動であることを特徴とする破砕ハンマー。
【請求項２】
入口（１６）には、保護ケーシング（６）に取付けられたガイドスリーブ（２３）が設けられており、
入口部材（２０）が、ガイドスリーブ（２３）内の開口部の中に摺動可能な形で配置されていることを特徴とする請求項１に記載の破砕ハンマー。
【請求項３】
入口（１６）には、入口部材（２０）に対し横断方向に圧迫される少なくとも１つの調整部材（２８）が設けられていることを特徴とする請求項１または２に記載の破砕ハンマー。
【請求項４】
破砕ハンマー（３）が保護ケーシング（６）の内部を加圧するための手段を含むことを特徴とする請求項１〜３の何れか１項に記載の破砕ハンマー。
【請求項５】
破砕ハンマーの保護ケーシングの入口用の入口部材において、
入口部材（２０）が細長い管状保護部材より成り、
入口部材（２０）は、入口部材（２０）を開いて破砕ハンマー（３）の圧力媒体導管（１４）の周囲に横断方向に配置可能とする長手方向に延びる少なくとも１つの分割面（２９）を含むことを特徴とする入口部材。
【請求項６】
入口部材（２０）が、第１の部分（２０ａ）と第２の部分（２０ｂ）とを含み、両者間に長手方向に延びる分割面（２９）が形成され、該分割面を互いに当接させて配置されるようにしたことを特徴とする請求項５に記載の入口部材。
【請求項７】
入口部材がポリウレタン製であることを特徴とする請求項５または６に記載の入口部材。
【請求項８】
入口部材が可撓性ホース状の部材であることを特徴とする請求項５〜７の何れか１項に記載の入口部材。
【請求項９】
入口部材がその端部分に固定部材を含むことを特徴とする請求項５〜８の何れか１項に記載の入口部材。
【考案の詳細な説明】
【技術分野】
【０００１】
本考案は破砕ハンマーに関し、特にその入口に関する。
本考案は、また、入口部材にも関する。
【０００２】
本考案の分野は、本出願の独立請求項の前段部分に更に詳細に記載されている。
【背景技術】
【０００３】
軟岩にトンネルを掘削する場合または巨礫を小片に破壊する場合、石材を破壊するために破砕ハンマーを使用することができる。破砕ハンマーは、破壊対象材料に衝撃パルスを伝達して材料を破壊する工具に衝撃パルスを送出するための打撃装置を含む。破砕ハンマーには、損傷および不純物からそれを保護するためそのまわりに保護ケーシングが設けられている場合が多い。保護ケーシングを通るホースおよびパイプのための入口は、それらが厳しい作業条件に耐え、保護ケーシングを密封された状態に維持するように構成するのが困難である。従来技術の破砕ハンマー入口には短所がある。
【考案の概要】
【考案が解決しようとする課題】
【０００４】
本考案の目的は、新規でかつ改良型の破砕ハンマーおよび破砕ハンマー用の入口部材を提供することにある。
【課題を解決するための手段】
【０００５】
本考案の破砕ハンマーは、入口において圧力媒体導管の周囲に少なくとも１つの入口部材が設けられており、入口部材は細長い管状保護部材より成り、入口部材が圧力媒体導管に対して移動しないように固定されており、入口部材は、保護ケーシングの入口に対しては長手方向に可動となっていることを特徴とする。
【０００６】
本考案は、入口部材は細長い管状保護部材より成り、破砕ハンマーの圧力媒体導管の周囲に横断方向に配置する目的で入口部材を開くための少なくとも１つの長手方向分割面を含むことを特徴とする。
【０００７】
開示された解決手段の技術思想によれば、圧力媒体導管の周囲に、細長い管状部材である少なくとも１つの入口部材が配置される。入口部材は、圧力媒体導管に移動しないように取付けられ、こうして圧力媒体導管および入口部材が、保護ケーシングの入口との関係において一体として移動できるようにしている。
【０００８】
開示された解決手段の利点は、入口部材が圧力媒体導管の周囲に保護要素を形成することにある。こうして、入口部材は圧力媒体導管と保護ケーシングの間の自己犠牲型摩耗部分として役立つ。
【０００９】
本考案の１つの形態では、入口部材は少なくとも１つの細長い分割面を含む。これにより、圧力媒体導管のまわりで横断方向に配置すために入口部材を開くことが可能となる。こうして入口部材は、圧力媒体導管を取外す必要なく、所定の位置に設置され得る。圧力媒体導管の端部に設けられた取付金具を取外す必要もない。
【００１０】
本考案の１つの形態によれば、入口部材は単一の長手方向分割面を含む。その場合、入口部材を分割面で開くように曲げ、その後、最初に開いた開口部を、横断方向に圧力媒体導管上に押圧するようにできる。次に、入口部材をその管状形状に戻るように曲げ圧力媒体導管に取付けるか、或いは、分割面を共に固定してもよい。
【００１１】
本考案の１つの形態によれば、入口部材は２つの分割面を含み、この場合、入口部材は互いに対向させて配置される２つの半体部分で形成される。半体部分は、横断方向に圧力媒体導管上の所定の位置に配置される。各半体部分は、入口部材の環状断面の周方向の半分を形成し、半体部分は、そのサイズが或る程度不等であってもよい。半体部分は互いに当接するように配置され、或いは、間に空隙が介在するように配置してもよい。
【００１２】
本考案の１つの形態によれば、入口部材は可撓性ホースで形成されている。ホース少なくとも主としてポリマー材料またはゴム材料で製造されている。市販され容易に入手可能な標準的ホースを使用してもよく、従って、入口部材は製造が容易かつ安価である。その最も単純な形態では、予め寸法の決定されたホース部材をカットし、その後、長手方向に２つに半割したり、或いは、該部材に少なくとも１本の長手方向の分割シームをつけるようにしてもよい。
【００１３】
本考案の１つの形態によれば、入口部材は、少なくとも主としてポリウレタン製のホースで形成される。
本考案の１つの形態によれば、入口部材は、少なくとも主としてポリマー材料で製造されたホースで形成される。ホースは、市販され容易に入手可能な標準品とすることができ、従って入口部材は製造が容易かつ安価である。
【００１４】
本考案の１つの形態によれば、入口部材は接着剤により圧力媒体導管に取付けられている。
本考案の１つの形態によれば、入口部材は、締まり嵌めにより圧力媒体導管に取付けられる。入口部材は熱収縮可能材料製として、加熱により圧力媒体導管の外側表面に対し密に収縮するようにできる。
【００１５】
本考案の１つの形態によれば、入口部材は１または複数のホースクランプにより圧力媒体導管に取付けられている。２つのホースクランプを使用することができ、これらは、入口部材の端部分に配設することができる。
【００１６】
本考案の１つの形態によれば、入口部材には、それを圧力媒体導管に固定可能な一体型固定用部材を設けることができる。固定部材は、入口部材の分割面を互いに当接させて保持できるように配置することができる。
【００１７】
本考案の１つの形態によれば、入口部材は、互いに前後して配置されて共に圧力媒体導管の周囲に充分な長さの管状入口部材を形成するようになっている２つ以上のリングまたは短管状部材を含む。
【００１８】
本考案の１つの形態によれば、入口部材の外側表面の横断面形状は円形である。
本考案の１つの形態によれば、入口部材の外側表面の横断面形状は、四角形、すなわち正方形または矩形である。
【００１９】
本考案の１つの形態によれば、入口部材は、圧力媒体導管の周囲に少なくとも１つの帯状保護部材を巻き付けることによって形成される。帯は、螺旋状部材であっても、または圧力媒体導管の周囲に配設された加硫ゴム材料の帯であってもよい。また、該実施形態では、油圧ホースのまわりにも管状保護部材が形成される。
【００２０】
本考案の１つの形態によれば、耐摩耗性材料の入口部材が圧力媒体導管の周囲に成形される。本体は、ポリマー材料、ゴム状材料または複合材料製などとすることができる。
本考案の１つの形態によれば、入口部材と保護ケーシングの間には、本質的に密封された継手が設けられる。
【００２１】
本考案の１つの形態によれば、入口には、１または複数の調整部材が設けられておりており、これは入口部材の横断方向に移動させられ、その後入口部材の外側表面に対して押圧される。調整部材は、例えばゴム材料またはポリマー材料とすることができる。調整部材は、圧力媒体導管の外側表面の形状に対応する断面形状を備えたプレート状部材とすることができ、かつ圧力媒体導管に押圧されるようにできる。
【００２２】
本考案の１つの形態によれば、保護ケーシングの内部は加圧され、従ってその内部で作用する圧力は外部の空気圧力よりも高い。圧縮空気によって加圧するようにできる。保護ケーシングは実質的に気密とすることができるが、その一方で、例えば入口および工具開口部を通したわずかな漏出が、何らの有意な悪影響をひき起こすことはない。加圧は、不純物および水分を保護ケーシング外に保つために有効である。
【００２３】
本考案の１つの形態によれば、入口は、保護ケーシングの基端側のエンドプレートに設けられる。
本考案の１つの形態によれば、保護ケーシングはサイドプレートを有する。該サイドプレートは開閉可能な点検用ハッチを備えている。該開閉可能な点検用ハッチは、保護ケーシングの上方部分に配設され、保護ケーシングのエンドプレートの入口に隣接して配設される。つまり、点検用ハッチは、保護ケーシングのサイドプレートとエンドプレートを接合する隅部の一部分に配設される。
【００２４】
本考案の１つの形態によれば、入口には、入口部材が配置されるときに通る開口部を有するガイドスリーブが設けられている。ガイドスリーブは、明らかに保護ケーシングの壁厚より長いが、入口要素の長さよりは明らかに短くなっている。ガイドスリーブは、入口要素が保護ケーシング内の開口部に直接当接した場合の距離よりも長い距離にわたり入口要素を支持できるようにする。
【００２５】
本考案の１つの形態によれば、ガイドスリーブは２つの半体部分から形成されている。
本考案の１つの形態によれば、ガイドスリーブは、間にプレート状のシール部材が配置されている横方向支持フランジを含む。
【００２６】
本考案の１つの形態によれば、ガイドスリーブおよびそれと連結状態にあるシール部材は、点検用ハッチによって横断方向に所定の位置に固定される。点検用ハッチは、シール部材を圧力媒体導管に対し圧迫するように配置することができる。
【００２７】
本考案の１つの形態によれば、保護ケーシング内部の入口部材は、圧力媒体導管と衝撃装置の間の継手まで全体に延在する。従って、入口部材は、圧力媒体導管の屈曲、および、圧力媒体導管が屈曲することより生じる損傷を防止する。入口部材は、フィッティングに到達するように延設することができる。或いは、入口部材はフィッティングから短かい距離だけ延在してよく、その場合、入口部材の距離は入口までよりもフィッティングまでの方が短かい。
【００２８】
以上開示した形態は、特定の目的のために適切な特徴の組合せを提供するようにさまざまな形で組合せることがでる。
解決手段の一部の実施形態について、添付の図面を参照してより詳細に説明する。
【図面の簡単な説明】
【００２９】
【図１】掘削機のブームに配置され、巨礫を破壊するために使用することのできる破砕ハンマーの略示側面図である。
【図２】岩洞を掘削するために使用することのできる破砕ハンマーの略示断面図である。
【図３】保護ケーシングを通って衝撃装置まで設けられた圧力媒体導管と共に示す入口構造の略示断面図である。
【図４】破砕ハンマーの入口構造および関連する入口部材、シール部材および点検用ハッチの構造と配置の概略図である。
【考案を実施するための形態】
【００３０】
理解しやすくするために、単純化して実施形態を図示する。図面中、同様の構成要素には同じ参照番号が付されている。
【００３１】
図１において、掘削機１はブーム２を有しており、該ブームには、巨礫または岩石などの石材４を破壊するために使用することのできる破砕ハンマー３が設けられている。破砕ハンマー３は、保護ケーシング６内に配置された打撃装置５を含む。打撃装置５は、破壊すべき物体に衝撃パルスを伝達する工具７に衝撃パルスを送出するために使用される。同時に、破砕ハンマー３は石材４に向かって押圧される。工具７は、その長手方向に限定された距離だけ打撃装置５に移動する。工具７はその長手の中心軸線周りに回転しない。
【００３２】
図２は、岩洞を掘削するための破砕ハンマーの代替的使用を示している。つまり、破砕ハンマー３は、岩洞の表面から石材４を切り離すために用いてもよい。該実施形態では、破砕ハンマー３は、主として水平方向で使用される。
【００３３】
破砕ハンマー３は、破砕ハンマー３を包囲する保護ケーシング６を具備している。保護ケーシング６は、充分厚みがあり耐衝撃性を有するプレート材料で製造されており、従って破砕ハンマー３に対し優れた機械的保護を提供している。保護ケーシング６には、側面９、工具７側の端部に設けられ横断方向に延在する先端プレート１０、反対側の基端側端部に設けられた基端プレート１１を具備することができる。該構造は、溶接により組立てられたプレート構造とすることができる。基端プレート１１には、作業機械のブームに破砕ハンマー３を固定するための固定部材を設けることができる。或いは、固定部材は側方プレートに配設してもよい。工具７は、先端プレート１０の工具開口部８を通して駆動されており、該開口部にはガスケット１２を設けることができる。
【００３４】
破砕ハンマー３の打撃装置５は圧力媒体作動式である。つまり、該装置には、圧力媒体導管１４を通じて圧力供給源１３から圧力エネルギーが提供される。典型的には、打撃装置５は油圧作動式である。打撃装置５の衝撃ピストンまたは類似の衝撃要素１５が、油圧によって前後に駆動され、該要素が工具７の基端側端部を打撃して衝撃パルスを生成する。当然のことながら、打撃装置５の動作は、他の種類の打撃部材動作に基づいていてよい。
【００３５】
保護ケーシング６には入口１６が設けられており、該入口を通して、圧力媒体導管１４が、保護ケーシング６の外部からその内部へ、そして更に打撃装置５まで延設されている。圧力媒体導管１４は、フィッティング１７により打撃装置５に連結された油圧ホースとすることができる。フィッティング１７は典型的には油圧ホースの最も外側の端部でより厚く形成された部分を有している。
【００３６】
打撃装置５は、ダンパー１８により保護ケーシング６の内側表面に支持することができる。打撃装置５は、作動中に力を受けたときに、保護ケーシング６の内部で移動することがある。数センチメートル、典型的には１〜２ｃｍの長手方向の移動が、打撃装置５と保護ケーシング６の間に発生し得る。対応する運動が、また、圧力媒体導管１４にも伝達され、該圧力媒体導管は入口１６との関係において移動する。こうして、圧力媒体導管で擦れが生じ、そのため一定時間の経過後に圧力媒体導管に損傷が発生することがある。この問題を回避するために、圧力媒体導管１４のまわりに配置された少なくとも１つの入口部材２０を含む入口構造１９を入口１６に設けることができる。入口部材２０は、摩耗に自己犠牲要素として作用し油圧ホースを保護する。
【００３７】
図３、４は、基端プレート１１に設けた入口１６を有する入口構造１９を示す。入口１６は、保護ケーシング６の基端プレート１１と、側面９とを接合する隅部の一部に設けられた点検用開口部２１に開口させることができる。該点検用開口部は点検用ハッチ２２によって開閉可能である。図３を参照すると、入口部材２０は細長い管状部材であり、該管状部材は、圧力媒体導管１４を包囲すると共に、入口１６の上方からほぼフィッティング１７に至るまで延在している。開口部を有したガイドスリーブ２３を入口１６に設けることができ、入口部材が該ガイドスリーブの開口部に挿通される。ガイドスリーブ２３の長さは、スリーブが入口部材２０を充分支持できる寸法とする。ガイドスリーブ２３は保護ケーシング６の表面に対し垂直とすることができる。或いは、図３に示すような角度位置として、スリーブ２３を用いて圧力媒体導管１４および入口部材２０とを所望の方向へ誘導するようにしてもよい。
【００３８】
ガイドスリーブ２３は２つの部分から形成することができる。その第１の部分は、基端プレート１１に固定され、第２の部分２５は、点検用ハッチ２２を用いて所定位置に固定するようにした着脱自在の部材とすることができる。ガイドスリーブの第２の部分２５は、横方向支持フランジ２６、２７を含むことができる。該横方向支持フランジは、所定の距離を以って互いに離間配置されており、両者の間隙に調整部材２８を配設することができる。調整部材２８はプレート状の部材より成り、その端面が、入口部材２０の湾曲した外側表面に一致するように形成されている。調整部材２８は例えばゴム製とすることができる。点検用ハッチ２２は、調整部材２８を入口部材２０に向かって押圧するために使用することができる。その場合、調整部材２８は入口部材２０に対し密封し、同時に入口部材２０の反対側の表面をガイドスリーブ２３に対し圧迫し、こうして実質的に気密な入口が形成される。
【００３９】
図３は更に、保護ケーシング６内を加圧するための加圧手段を示している。圧力導管Ｐから、典型的には圧縮空気によって気体圧力を供給して、保護ケーシング６内に、外部の圧力より高く不純物が保護ケーシング６内に進入するのを防止する圧力を提供することができる。圧力媒体導管１４および工具７のための入口は、気密とすることができる。入口が、粉塵およびほこり粒子にのみ密封する構成の場合、気体が入口を通して保護ケーシング６内から外に向かって漏洩する。入口を通って漏出する気体流は、不純物が保護ケーシング６に進入するのを効率良く防止する。加圧することから、破砕ハンマー３は、水中で実施される作業にも好適である。
【００４０】
図４の実施形態は図３の実施形態と類似している。本実施形態は、入口部材２０が、長手方向に延びる分割面２９を有した２つの半体部分２０ａ、２０ｂによって形成されているという点で異なっている。半体部分２０ａ、２０ｂは、横断方向に圧力媒体導管１４のまわりに配置することができ、こうしてフィッティング１７を取外す必要がなくなる。半体部分２０ａ、２０ｂの分割面２９は互いに当接させて配置され、その後、半体部分は、それらの端部において、例えばホースクランプまたは類似の固定部材により固定することができよう。入口部材２０の端部には、取外した固定部材のための取付部３０を設けることができる。或いは、固定部材を取付部に一体化してもよい。
【００４１】
本出願で開示されている特徴は、他の特徴の如何に関わらず、そのままの形で用いることができる場合もあるが、一方で、必要な場合には、本出願中で開示された特徴を組合わせてさまざまな組合せを提供してもよい。
【００４２】
図面および関連する説明は、本考案の考え方を例示することのみを意図されたものである。本考案の詳細は、クレームの範囲内で変動する場合がある。
【符号の説明】
【００４３】
１    掘削機
２    ブーム
３    破砕ハンマー
４    石材
５    打撃装置
６    保護ケーシング
７    工具
８    工具開口部
９    側面
１０    先端プレート
１１    基端プレート
１２    ガスケット
１３    圧力供給源
１４    圧力媒体導管
１５    衝撃要素
１６    入口
１７    フィッティング
１８    ダンパー
１９    入口構造
２０    入口部材
２０ａ    半体部分
２０ｂ    半体部分
２１    点検用開口部
２２    点検用ハッチ
２３    ガイドスリーブ
２５    第２の部分
２６    横方向支持フランジ
２７    横方向支持フランジ
２８    調整部材
２９    分割面
３０    取付部
【図１】
0003187924.tif 000003
【図２】
0003187924.tif 000004
【図３】
0003187924.tif 000005
【図４】
0003187924.tif 000006
【手続補正書】
【提出日】平成25年10月16日(2013.10.16)
【手続補正１】
【補正対象書類名】実用新案登録請求の範囲
【補正対象項目名】全文
【補正方法】変更
【補正の内容】
【実用新案登録請求の範囲】
【請求項１】
破砕ハンマー（３）に取付け可能な工具（７）に衝撃パルスを送出するための打撃装置（５）と、
内部に打撃装置（５）が配置され、その第１の端部を通って工具（７）を配置することのできる保護ケーシング（６）とを含み、
該保護ケーシング（６）には、圧力媒体を打撃装置（５）に供給するため中に少なくとも１本の圧力媒体導管（１４）が配置されている少なくとも１つの入口（１６）が設けられている材料を破壊するため破砕ハンマーにおいて、
入口（１６）には、圧力媒体導管（１４）の周囲に少なくとも１つの入口部材（２０）が設けられており、
入口部材（２０）は細長い管状保護部材より成り、
入口部材（２０）は、圧力媒体導管（１４）に対して移動しないように固定されており、
入口部材（２０）が、保護ケーシング（６）の入口（１６）に対して長手方向に可動であることを特徴とする破砕ハンマー。
【請求項２】
入口（１６）には、保護ケーシング（６）に取付けられたガイドスリーブ（２３）が設けられており、
入口部材（２０）が、ガイドスリーブ（２３）内の開口部の中に摺動可能な形で配置されていることを特徴とする請求項１に記載の破砕ハンマー。
【請求項３】
入口（１６）には、入口部材（２０）に対し横断方向に圧迫される少なくとも１つの調整部材（２８）が設けられていることを特徴とする請求項１または２に記載の破砕ハンマー。
【請求項４】
破砕ハンマー（３）が保護ケーシング（６）の内部を加圧するための手段を含むことを特徴とする請求項１〜３の何れか１項に記載の破砕ハンマー。
【請求項５】
前記入口部材（２０）は、入口部材（２０）を開いて破砕ハンマー（３）の圧力媒体導管（１４）の周囲に横断方向に配置可能とする長手方向に延びる少なくとも１つの分割面（２９）を含むことを特徴とする請求項１〜４の何れか１項に記載の破砕ハンマー。
【請求項６】
入口部材（２０）が、第１の部分（２０ａ）と第２の部分（２０ｂ）とを含み、両者間に長手方向に延びる分割面（２９）が形成され、該分割面を互いに当接させて配置されるようにしたことを特徴とする請求項５に記載の破砕ハンマー。
【請求項７】
入口部材がポリウレタン製であることを特徴とする請求項５または６に記載の破砕ハンマー。
【請求項８】
入口部材が可撓性ホース状の部材であることを特徴とする請求項５〜７の何れか１項に記載の破砕ハンマー。
【請求項９】
入口部材がその端部分に固定部材を含むことを特徴とする請求項５〜８の何れか１項に記載の破砕ハンマー。